(57)【特許請求の範囲】
【請求項１】
画像を形成する画像形成部と、
操作部と、
予め設定された出力の無線電波で携帯端末から送出され、且つ送出元の前記携帯端末を識別する識別情報を含むビーコン信号を受信するビーコン受信部と、
画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、
前記定義情報で定義された画面を表示する表示部と、
制御部と、を備えており、
前記待機画面は、前記遷移先画面が前記表示部に表示されてから前記操作部の未操作の期間が第１期間に達したことに応じて前記表示部に表示される画面であって、
全てのユーザに共通の共通待機画面と、
前記携帯端末が前記ビーコン信号に含める前記識別情報と対応付けられ、且つ当該携帯端末のユーザ用にカスタマイズされた個別待機画面と、を含み、
前記制御部は、
前記待機画面を前記表示部に表示させる表示制御処理と、
前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、
前記待機画面に含まれる前記画面遷移オブジェクトを選択する第１ユーザ操作を前記操作部を介して受け付ける第１受付処理と、
前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、
前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理と、を実行し、
前記制御部は、第１識別情報に対応付けられた前記個別待機画面である第１待機画面を表示させてから前記第１期間が経過するまでに前記操作部を介してユーザ操作を受け付けなかったことに応じて、前記受信タイミングが前記監視期間内の前記ビーコン情報に含まれる前記識別情報のうち、前記第１識別情報と異なる第２識別情報を前記対象識別情報として、前記切替処理を実行する画像形成装置。
【請求項２】
前記制御部は、前記受信タイミングが前記監視期間内の前記ビーコン情報のうちのＮ（Ｎは２以上の自然数）個以上の前記ビーコン情報に含まれる前記識別情報を前記対象識別情報として、前記切替処理を実行する請求項１に記載の画像形成装置。
【請求項３】
前記制御部は、
前記記憶制御処理において、前記ビーコン信号の電波強度を示す強度情報をさらに含む前記ビーコン情報を前記記憶部に記憶させ、
前記受信タイミングが前記監視期間内で且つ前記電波強度が最も強い前記ビーコン情報に含まれる前記識別情報を前記対象識別情報として、前記切替処理を実行する請求項１又は２に記載の画像形成装置。
【請求項４】
前記制御部は、前記個別待機画面を表示させてから第２期間が経過するまでに前記操作部を介してユーザ操作を受け付けなかったことに応じて、前記表示部への電力の供給を停止するスリープ処理を実行し、
前記第１期間は、前記第２期間より短い請求項３に記載の画像形成装置。
【請求項５】
前記制御部は、前記第２識別情報を前記対象識別情報とする前記切替処理を実行したことに応じて、前記第２期間を延長する請求項４に記載の画像形成装置。
【請求項６】
画像を形成する画像形成部と、
操作部と、
予め設定された出力の無線電波で携帯端末から送出され、且つ送出元の前記携帯端末を識別する識別情報を含むビーコン信号を受信するビーコン受信部と、
画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、
前記定義情報で定義された画面を表示する表示部と、
制御部と、を備えており、
前記待機画面は、前記遷移先画面が前記表示部に表示されてから前記操作部の未操作の期間が第１期間に達したことに応じて前記表示部に表示される画面であって、
全てのユーザに共通の共通待機画面と、
前記携帯端末が前記ビーコン信号に含める前記識別情報と対応付けられ、且つ当該携帯端末のユーザ用にカスタマイズされた個別待機画面と、を含み、
前記制御部は、
前記待機画面を前記表示部に表示させる表示制御処理と、
前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、
前記待機画面に含まれる前記画面遷移オブジェクトを選択する第１ユーザ操作を前記操作部を介して受け付ける第１受付処理と、
前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、
前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理と、
前記受信タイミングが前記監視期間内の前記ビーコン情報に含まれる前記識別情報に対応付けられた前記個別待機画面の表示を指示する切替オブジェクトを、表示中の前記待機画面に含めるオブジェクト追加処理と、
前記待機画面に含まれる前記切替オブジェクトを選択する第２ユーザ操作を前記操作部を介して受け付ける第２受付処理と、
前記第２ユーザ操作を前記操作部を介して受け付けたことに応じて、当該切替オブジェクトに対応する前記個別待機画面を、前記待機画面に代えて前記表示部に表示させる前記切替処理と、を実行する画像形成装置。
【請求項７】
前記制御部は、
前記受信タイミングが前記監視期間内の複数の前記ビーコン情報に互いに異なる前記識別情報が含まれている場合の前記オブジェクト追加処理において、各識別情報に対応付けられた前記個別待機画面の表示を指示する複数の前記切替オブジェクトを、表示中の前記待機画面に含める請求項６に記載の画像形成装置。
【請求項８】
前記制御部は、前記個別待機画面を表示させてから第１期間が経過するまでに前記操作部を介してユーザ操作を受け付けず、且つ前記受信タイミングが前記監視期間内の前記ビーコン情報が前記記憶部に記憶されていないことに応じて、当該個別待機画面に代えて前記共通待機画面を前記表示部に表示させる復帰処理を実行する請求項１から７のいずれかに記載の画像形成装置。
【請求項９】
画像を形成する画像形成部と、
操作部と、
予め設定された出力の無線電波で携帯端末から送出され、且つ送出元の前記携帯端末を識別する識別情報を含むビーコン信号を受信するビーコン受信部と、
画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、
前記定義情報で定義された画面を表示する表示部と、
制御部と、を備えており、
前記待機画面は、前記遷移先画面が前記表示部に表示されてから前記操作部の未操作の期間が第１期間に達したことに応じて前記表示部に表示される画面であって、
全てのユーザに共通の共通待機画面と、
前記携帯端末が前記ビーコン信号に含める前記識別情報と対応付けられ、且つ当該携帯端末のユーザ用にカスタマイズされた個別待機画面と、を含み、
前記制御部は、
前記待機画面を前記表示部に表示させる表示制御処理と、
前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、
前記待機画面に含まれる前記画面遷移オブジェクトを選択する第１ユーザ操作を前記操作部を介して受け付ける第１受付処理と、
前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、
前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理と、を実行し、
前記個別待機画面に含まれる前記画面遷移オブジェクトは、前記動作情報の入力が全てのユーザに許可された前記遷移先画面に対応付けられている画像形成装置。
【請求項１０】
前記ビーコン受信部は、Ｂｌｕｅｔｏｏｔｈ（登録商標）  ＬＥ、Ｂｌｕｅｔｏｏｔｈ（登録商標）  Ｓｍａｒｔ、ｉＢｅａｃｏｎのいずれかに準拠した前記ビーコン信号を受信する請求項１から９のいずれかに記載の画像形成装置。
【請求項１１】
携帯端末と、画像形成装置とを備える画像形成システムであって、
前記携帯端末は、
当該携帯端末を識別する識別情報を含むビーコン信号を、予め設定された出力の無線電波で送出するビーコン送出部と、
前記ビーコン送出部に所定の時間間隔で繰り返し前記ビーコン信号を送出させる送出処理を実行する第１制御部と、を備えており、
前記画像形成装置は、
画像を形成する画像形成部と、
操作部と、
予め設定された出力の無線電波で携帯端末から送出され、且つ送出元の前記携帯端末を識別する識別情報を含むビーコン信号を受信するビーコン受信部と、
画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、
前記定義情報で定義された画面を表示する表示部と、
第２制御部と、を備えており、
前記待機画面は、前記遷移先画面が前記表示部に表示されてから前記操作部の未操作の期間が第１期間に達したことに応じて前記表示部に表示される画面であって、
全てのユーザに共通の共通待機画面と、
前記携帯端末が前記ビーコン信号に含める前記識別情報と対応付けられ、且つ当該携帯端末のユーザ用にカスタマイズされた個別待機画面と、を含み、
前記第２制御部は、
前記待機画面を前記表示部に表示させる表示制御処理と、
前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、
前記待機画面に含まれる前記画面遷移オブジェクトを選択する第１ユーザ操作を前記操作部を介して受け付ける第１受付処理と、
前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、
前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理と、を実行し、
前記第２制御部は、第１識別情報に対応付けられた前記個別待機画面である第１待機画面を表示させてから前記第１期間が経過するまでに前記操作部を介してユーザ操作を受け付けなかったことに応じて、前記受信タイミングが前記監視期間内の前記ビーコン情報に含まれる前記識別情報のうち、前記第１識別情報と異なる第２識別情報を前記対象識別情報として、前記切替処理を実行する画像形成システム。
【請求項１２】
画像を形成する画像形成部と、操作部と、予め設定された出力の無線電波で携帯端末から送出され、且つ送出元の前記携帯端末を識別する識別情報を含むビーコン信号を受信するビーコン受信部と、画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、前記定義情報で定義された画面を表示する表示部と、制御部とを備えるコンピュータによって実行可能なプログラムであって、
前記待機画面は、前記遷移先画面が前記表示部に表示されてから前記操作部の未操作の期間が第１期間に達したことに応じて前記表示部に表示される画面であって、
全てのユーザに共通の共通待機画面と、
前記携帯端末が前記ビーコン信号に含める前記識別情報と対応付けられ、且つ当該携帯端末のユーザ用にカスタマイズされた個別待機画面と、を含み、
該プログラムは、
前記待機画面を前記表示部に表示させる表示制御処理と、
前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、
前記待機画面に含まれる前記画面遷移オブジェクトを選択する第１ユーザ操作を前記操作部を介して受け付ける第１受付処理と、
前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、
前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理と、を前記コンピュータに実行させ、
該プログラムは、第１識別情報に対応付けられた前記個別待機画面である第１待機画面を表示させてから前記第１期間が経過するまでに前記操作部を介してユーザ操作を受け付けなかったことに応じて、前記受信タイミングが前記監視期間内の前記ビーコン情報に含まれる前記識別情報のうち、前記第１識別情報と異なる第２識別情報を前記対象識別情報として、前記切替処理を前記コンピュータに実行させるプログラム。
【発明の詳細な説明】
【技術分野】
【０００１】
本発明は、表示部に表示される画面がユーザ操作で遷移する画像形成装置に関する。
【背景技術】
【０００２】
従来より、表示部及び操作部等のユーザインタフェースを通じてユーザからの指示を受け付ける画像形成装置が知られている。例えば、特許文献１には、識別情報送信装置を所持したユーザが電子機器に近づくことによって、当該電子機器の使用環境が当該ユーザ用に切り替えられる技術が開示されている。
【先行技術文献】
【特許文献】
【０００３】
【特許文献１】特開２００４−３８２２８号公報
【発明の概要】
【発明が解決しようとする課題】
【０００４】
しかしながら、上記構成の電子機器を複数のユーザで共有する場合において、第１ユーザが操作中の電子機器の近くを第２ユーザが通り過ぎたことに応じて、当該電子機器の使用環境が第２ユーザ用に切り替えられるとすると、第１ユーザの操作が阻害されるので望ましくない。
【０００５】
本発明は、上記の事情に鑑みてなされたものであり、その目的は、近くにいるユーザ用にカスタマイズされた画面を、他のユーザの操作を阻害することなく表示させることができる画像形成装置を提供することにある。
【課題を解決するための手段】
【０００６】
(1)  本明細書の一例に係る画像形成装置は、画像を形成する画像形成部と、操作部と、予め設定された出力の無線電波で携帯端末から送出され、且つ送出元の前記携帯端末を識別する識別情報を含むビーコン信号を受信するビーコン受信部と、画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、前記定義情報で定義された画面を表示する表示部と、制御部と、を備える。前記待機画面は、前記遷移先画面が前記表示部に表示されてから前記操作部の未操作の期間が第１期間に達したことに応じて前記表示部に表示される画面であって、全てのユーザに共通の共通待機画面と、前記携帯端末が前記ビーコン信号に含める前記識別情報と対応付けられ、且つ当該携帯端末のユーザ用にカスタマイズされた個別待機画面とを含む。前記制御部は、前記待機画面を前記表示部に表示させる表示制御処理と、前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、前記待機画面に含まれる前記画面遷移オブジェクトを選択する第１ユーザ操作を前記操作部を介して受け付ける第１受付処理と、前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理とを実行する。
【０００７】
上記構成によれば、ビーコン信号を送出する携帯端末を所持するユーザが画像形成装置に近づいた場合において、待機画面の表示中であれば当該ユーザ用の個別待機画面に切り替えられ、遷移先画面の表示中であれば表示切り替えが行われない。その結果、他のユーザの操作を阻害することなく、近くにいるユーザ用にカスタマイズされた個別待機画面を表示させることができる。
【０００８】
なお、「待機画面」は、例えば、画像形成装置の起動処理が終わった時点で表示されている所謂トップ画面、或いはスリープ状態が解除された時点で表示されている所謂復帰画面であってもよい。一方、「遷移先画面」は、例えば、プリント処理の実行条件（用紙サイズ、部数、拡大率等）を設定する画面、スキャン処理の実行条件（解像度、色数、ファイル形式等）を設定する画面、ＦＡＸの送信先を選択するアドレス帳画面、或いはプリント処理、スキャン処理、ＦＡＸ送信処理の実行を指示する実行指示画面等を指す。
【０００９】
(2)  好ましくは、前記制御部は、前記受信タイミングが前記監視期間内の前記ビーコン情報のうちのＮ（Ｎは２以上の自然数）個以上の前記ビーコン情報に含まれる前記識別情報を前記対象識別情報として、前記切替処理を実行する。
【００１０】
上記構成によれば、画像形成装置の近くをユーザが通り過ぎただけの場合に、当該ユーザ用の個別待機画面に切り替わることが抑制される。
【００１１】
(3)  好ましくは、前記制御部は、前記記憶制御処理において、前記ビーコン信号の電波強度を示す強度情報をさらに含む前記ビーコン情報を前記記憶部に記憶させ、前記受信タイミングが前記監視期間内で且つ前記電波強度が最も強い前記ビーコン情報に含まれる前記識別情報を前記対象識別情報として、前記切替処理を実行する。
【００１２】
上記構成によれば、画像形成装置に最も近いユーザ、すなわち画像形成装置を使用する可能性が最も高いユーザ用の個別待機画面に切り替えることができる。
【００１３】
(4)  好ましくは、前記制御部は、第１識別情報に対応付けられた前記個別待機画面である第１待機画面を表示させてから前記第１期間が経過するまでに前記操作部を介してユーザ操作を受け付けなかったことに応じて、前記受信タイミングが前記監視期間内の前記ビーコン情報に含まれる前記識別情報のうち、前記第１識別情報と異なる第２識別情報を前記対象識別情報として、前記切替処理を実行する。
【００１４】
上記構成によれば、例えば、画像形成装置を使用する意思のないユーザが当該画像形成装置の近くにいる場合において、当該ユーザ用の個別待機画面が表示され続けることが抑制される。
【００１５】
(5)  例えば、前記制御部は、前記個別待機画面を表示させてから第２期間が経過するまでに前記操作部を介してユーザ操作を受け付けなかったことに応じて、前記表示部への電力の供給を停止するスリープ処理を実行する。そして、前記第１期間は、前記第２期間より短い。
【００１６】
(6)  好ましくは、前記制御部は、前記第２識別情報を前記対象識別情報とする前記切替処理を実行したことに応じて、前記第２期間を延長する。
【００１７】
上記構成によれば、画像形成装置を利用しようとするユーザを検知した直後にスリープ処理が実行されることを抑制できる。その結果、スリープ状態を解除するための処理を当該ユーザに要求する必要がなくなる。
【００１８】
(7)  他の例として、前記制御部は、前記受信タイミングが前記監視期間内の前記ビーコン情報に含まれる前記識別情報に対応付けられた前記個別待機画面の表示を指示する切替オブジェクトを、表示中の前記待機画面に含めるオブジェクト追加処理と、前記待機画面に含まれる前記切替オブジェクトを選択する第２ユーザ操作を前記操作部を介して受け付ける第２受付処理と、前記第２ユーザ操作を前記操作部を介して受け付けたことに応じて、当該切替オブジェクトに対応する前記個別待機画面を、前記待機画面に代えて前記表示部に表示させる前記切替処理とを実行する。
【００１９】
(8)  好ましくは、前記制御部は、前記受信タイミングが前記監視期間内の複数の前記ビーコン情報に互いに異なる前記識別情報が含まれている場合の前記オブジェクト追加処理において、各識別情報に対応付けられた前記個別待機画面の表示を指示する複数の前記切替オブジェクトを、表示中の前記待機画面に含める。
【００２０】
これにより、複数のユーザが画像形成装置の近くにいる場合において、当該画像形成装置を使用したいユーザ用の個別待機画面に簡単に切り替えることができる。
【００２１】
(9)  好ましくは、前記制御部は、前記個別待機画面を表示させてから第１期間が経過するまでに前記操作部を介してユーザ操作を受け付けず、且つ前記受信タイミングが前記監視期間内の前記ビーコン情報が前記記憶部に記憶されていないことに応じて、当該個別待機画面に代えて前記共通待機画面を前記表示部に表示させる復帰処理を実行する。
【００２２】
上記構成によれば、携帯端末を所持するユーザが近くにいない場合に共通待機画面に切り替わるので、携帯端末を所持しないユーザにとっても使用しやすい画像形成装置を得ることができる。
【００２３】
(10)  好ましくは、前記個別待機画面に含まれる前記画面遷移オブジェクトは、前記動作情報の入力が全てのユーザに許可された前記遷移先画面に対応付けられている。
【００２４】
上記構成の画像形成装置において、表示部に表示された個別待機画面は、対応するユーザ以外のユーザによって操作される可能性がある。そのため、特定のユーザのみに入力が許可された遷移先画面に遷移可能な画面遷移オブジェクトを個別待機画面に含めないことが望ましい。
【００２５】
(11)  本明細書の他の例に係る画像形成装置は、画像を形成する画像形成部と、操作部と、予め設定された出力の無線電波で携帯端末から送出され、且つ送出元の前記携帯端末を識別する識別情報を含むビーコン信号を受信するビーコン受信部と、画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、前記定義情報で定義された画面を表示する表示部と、制御部とを備える。前記待機画面は、前記遷移先画面が前記表示部に表示されてから前記操作部の未操作の期間が第１期間に達したことに応じて前記表示部に表示される画面である。同一の画面遷移オブジェクトに対応付けられた前記遷移先画面は、全てのユーザに共通の共通遷移先画面と、前記携帯端末が前記ビーコン信号に含める前記識別情報と対応付けられ、且つ当該携帯端末のユーザ用にカスタマイズされた個別遷移先画面とを含む。前記制御部は、前記待機画面を前記表示部に表示させる表示制御処理と、前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、前記待機画面に含まれる前記画面遷移オブジェクトを選択する第１ユーザ操作を前記操作部を介して受け付ける第１受付処理と、前記第１ユーザ操作を前記操作部を介して受け付けたことに応じて、当該画面遷移オブジェクトに対応付けられた前記遷移先画面を、前記待機画面に代えて前記表示部に表示させる画面遷移処理とを実行する。そして、前記制御部は、前記画面遷移処理において、前記受信タイミングが現時点から過去に遡った監視期間内である前記ビーコン情報が前記記憶部に記憶されていないことに応じて、前記共通遷移先画面を前記表示部に表示させ、前記受信タイミングが前記監視期間内である前記ビーコン情報が前記記憶部に記憶されていることに応じて、当該ビーコン情報に含まれる前記識別情報に対応付けられた前記個別遷移先画面を前記表示部に表示させる。
【００２６】
(12)  例えば、前記ビーコン受信部は、Ｂｌｕｅｔｏｏｔｈ  ＬＥ、Ｂｌｕｅｔｏｏｔｈ  Ｓｍａｒｔ、ｉＢｅａｃｏｎのいずれかに準拠した前記ビーコン信号を受信する。
【００２７】
(13)  本明細書に記載の画像形成システムは、携帯端末と、画像形成装置とを備える。前記携帯端末は、当該携帯端末を識別する識別情報を含むビーコン信号を、予め設定された出力の無線電波で送出するビーコン送出部と、前記ビーコン送出部に所定の時間間隔で繰り返し前記ビーコン信号を送出させる送出処理を実行する第１制御部とを備える。前記画像形成装置は、画像を形成する画像形成部と、操作部と、予め設定された出力の無線電波で携帯端末から送出され、且つ送出元の前記携帯端末を識別する識別情報を含むビーコン信号を受信するビーコン受信部と、画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、前記定義情報で定義された画面を表示する表示部と、第２制御部とを備える。前記待機画面は、前記遷移先画面が前記表示部に表示されてから前記操作部の未操作の期間が第１期間に達したことに応じて前記表示部に表示される画面であって、全てのユーザに共通の共通待機画面と、前記携帯端末が前記ビーコン信号に含める前記識別情報と対応付けられ、且つ当該携帯端末のユーザ用にカスタマイズされた個別待機画面とを含む。前記第２制御部は、前記待機画面を前記表示部に表示させる表示制御処理と、前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、前記待機画面に含まれる前記画面遷移オブジェクトを選択する第１ユーザ操作を前記操作部を介して受け付ける第１受付処理と、前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理とを実行する。
【００２８】
(14)  本明細書に記載のプログラムは、画像を形成する画像形成部と、操作部と、予め設定された出力の無線電波で携帯端末から送出され、且つ送出元の前記携帯端末を識別する識別情報を含むビーコン信号を受信するビーコン受信部と、画面の遷移を指示する画面遷移オブジェクトを含む待機画面、及び前記画面遷移オブジェクトに対応付けられ且つ前記画像形成部に動作を指示する動作情報を入力させるための遷移先画面を定義する定義情報を記憶する記憶部と、前記定義情報で定義された画面を表示する表示部と、制御部とを備えるコンピュータによって実行可能である。前記待機画面は、前記遷移先画面が前記表示部に表示されてから前記操作部の未操作の期間が第１期間に達したことに応じて前記表示部に表示される画面であって、全てのユーザに共通の共通待機画面と、前記携帯端末が前記ビーコン信号に含める前記識別情報と対応付けられ、且つ当該携帯端末のユーザ用にカスタマイズされた個別待機画面とを含む。該プログラムは、前記待機画面を前記表示部に表示させる表示制御処理と、前記ビーコン受信部が前記ビーコン信号を受信したことに応じて、当該ビーコン信号に含まれる前記識別情報、及び当該ビーコン信号を受信した受信タイミングを示すタイミング情報を含むビーコン情報を前記記憶部に記憶させる記憶制御処理と、前記待機画面に含まれる前記画面遷移オブジェクトを選択する第１ユーザ操作を前記操作部を介して受け付ける第１受付処理と、前記第１ユーザ操作を前記操作部を介して受け付けたことに応じて、当該画面遷移オブジェクトに対応付けられた前記遷移先画面を、前記待機画面に代えて前記表示部に表示させる画面遷移処理と、前記待機画面及び前記遷移先画面のうちの前記待機画面の表示中にのみ、前記受信タイミングが現時点から過去に遡った監視期間内の前記ビーコン情報に含まれる前記識別情報である対象識別情報に対応付けられた前記個別待機画面を、前記待機画面に代えて前記表示部に表示させる切替処理とを前記コンピュータに実行させる。
【発明の効果】
【００２９】
本発明によれば、待機画面の表示中には個別待機画面に切り替えられ、遷移先画面の表示中には表示切り替えが行われないので、他のユーザの操作を阻害することなく、近くにいるユーザ用にカスタマイズされた個別待機画面を表示させることができる。
【図面の簡単な説明】
【００３０】
【図１】図１は、実施形態に係る画像形成システム１００のブロック図である。
【図２】図２（Ａ）は複合機１０の機能ブロック図であり、図２（Ｂ）は携帯端末５０の機能ブロック図である。
【図３】図３は、データ記憶領域３２Ｂに記憶されたビーコン情報の一例である。
【図４】図４は、データ記憶領域３２Ｂに記憶された定義情報の一例である。
【図５】図５は、実施形態に係る複合機１０の動作を示すフローチャートであって、（Ａ）は共通待機画面表示中の処理を、（Ｂ）はビーコン信号受信時の処理を、（Ｃ）は繰り返し処理を示す。
【図６】図６は、待機画面切替処理のフローチャートである。
【図７】図７は、個別待機画面表示中に実行される処理のフローチャートである。
【図８】図８は、表示部２３の表示例であって、（Ａ）は共通待機画面を、（Ｂ）はＦＡＸ送信画面を示す。
【図９】図９は、表示部２３の表示例であって、（Ａ）は個別待機画面を、（Ｂ）は宛先画面を示す。
【図１０】図１０は、変形例１に係る複合機１０の動作を示すフローチャートであって、（Ａ）は繰り返し処理を、（Ｂ）は待機画面表示中の処理を示す。
【図１１】図１１は、表示部２３の表示例であって、（Ａ）は切替アイコン９２を含む共通待機画面を、切替アイコン９２、９３を含む共通待機画面を示す。
【図１２】図１２（Ａ）はデータ記憶領域３２Ｂに記憶された定義情報の他の例であり、図１２（Ｂ）はショートカットアイコン９４を含むＦＡＸ送信画面の一例である。
【図１３】図１３は、変形例２に係る共通待機画面表示中の処理を示すフローチャートである。
【発明を実施するための形態】
【００３１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００３２】
図１は、本実施形態における画像形成システム１００の概略図である。図１に示される画像形成システム１００は、複合機１０と、複数の携帯端末５０Ａ、５０Ｂ、５０Ｃとで構成されている。なお、本実施形態の動作を実現するために必要となる携帯端末５０Ａ、５０Ｂ、５０Ｃの構成は、図２を用いて後述するように共通している。以下、携帯端末５０Ａ、５０Ｂ、５０Ｃを総称して、「携帯端末５０」と表記することがある。
【００３３】
［複合機１０］
複合機１０は、図２に示されるように、プリンタ部１１と、スキャナ部１２と、ＦＡＸ部１３と、表示部２３と、操作部２４と、通信部２５と、ビーコン受信部２６と、ＣＰＵ３１と、記憶部３２と、通信バス３３とを主に備える。複合機１０を構成する各構成要素は、通信バス３３を介して相互に接続されている。複合機１０は、画像形成装置の一例である。
【００３４】
［プリンタ部１１、スキャナ部１２、ＦＡＸ部１３］
プリンタ部１１は、画像データで示される画像をシートの一例である記録用紙に記録する記録処理を実行する。プリンタ部１１の記録方式は特に限定されないが、例えば、インクジェット方式や電子写真方式などの公知の方式を採用することができる。スキャナ部１２は、記録用紙に記録されている画像を読み取って画像データを生成するスキャン処理を実行する。ＦＡＸ部１３は、ＦＡＸプロトコルに準拠した方式でＦＡＸデータを送受信するＦＡＸ処理を実行する。プリンタ部１１、スキャナ部１２、及びＦＡＸ部１３は、画像を形成する画像形成部の一例である。
【００３５】
［表示部２３］
表示部２３は、各種情報を表示する表示画面を備える。表示部２３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００３６】
［操作部２４］
操作部２４は、表示部２３の表示画面に表示されたオブジェクトを選択するユーザの操作を受け付ける。具体的には、操作部２４は、例えば押ボタンを有しており、押下された押ボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。
【００３７】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タッチ位置に表示されたオブジェクトが選択されてもよい。
【００３８】
タッチパネルとして実現される操作部２４は、表示部２３の表示画面をタッチするユーザ操作を受け付ける。また、操作部２４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００３９】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００４０】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。
【００４１】
［通信部２５］
通信部２５は、通信ネットワーを通じて外部装置と通信を行うためのインタフェースである。すなわち、複合機１０は、通信部２５を通じて携帯端末５０に各種情報を出力し、通信部２５を通じて携帯端末５０から各種データ又は各種情報を受信する。通信部２５の具体的な通信手順は特に限定されないが、例えば、Ｗｉ−Ｆｉ（Ｗｉ−Ｆｉ  Ａｌｌｉａｎｃｅの登録商標）を採用することができる。
【００４２】
［ビーコン受信部２６］
ビーコン受信部２６は、携帯端末５０から送出されたビーコン信号を受信する。ビーコン信号は、例えば、ＮＦＣ（Ｎｅａｒ  Ｆｉｅｌｄ  Ｃｏｍｍｕｎｉｃａｔｉｏｎの略）、Ｂｌｕｅｔｏｏｔｈ（Ｂｌｕｅｔｏｏｔｈ  ＳＩＧ，  Ｉｎｃ．の登録商標）、或いはＢｌｕｅｔｏｏｔｈ  Ｌｏｗ  Ｅｎｅｒｇｙ、Ｂｌｕｅｔｏｏｔｈ  Ｓｍａｒｔ、ｉＢｅａｃｏｎ（Ａｐｐｌｅ  Ｉｎｃ．の登録商標）のいずれかに準拠したものである。
【００４３】
［ＣＰＵ３１］
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及び通信部２５を通じて外部装置から取得した各種情報等に基づいて、後述する各種プログラムを記憶部３２から取得して実行する。すなわち、ＣＰＵ３１及び記憶部３２は、制御部の一例を構成する。
【００４４】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。なお、制御プログラム３５は、単一のプログラムであってもよいし、複数のプログラムの集合体であってもよい。データ記憶領域３２Ｂには、制御プログラム３５の実行に必要なデータ或いは情報が記憶される。
【００４５】
データ記憶領域３２Ｂは、例えば図３に示されるように、ビーコン受信部２６で受信されたビーコン信号に関するビーコン情報を記憶する。制御プログラム３５は、ビーコン受信部２６を通じて受信したことに応じて、当該ビーコン信号のビーコン情報をデータ記憶領域３２Ｂに新たに追加する。
【００４６】
なお、本実施形態に係るビーコン情報は、ＲＡＭ等の揮発性のメモリに記憶される。すなわち、複合機１０への電力の供給が停止されたことに応じて、データ記憶領域３２Ｂに記憶されているビーコン情報は、消去される。または、制御プログラム３５は、ビーコン信号を受信してから閾値期間が経過したことに応じて、対応するビーコン情報をデータ記憶領域３２Ｂから削除してもよい。
【００４７】
ビーコン情報は、図３に示されるように、ビーコン信号を受信した受信タイミングを示すタイミング情報と、ビーコン信号に含まれる端末ＩＤと、受信したビーコン信号の電波強度を示す強度情報とを含む。なお、図３に示される複数のビーコン情報は、受信タイミングが古い順に上から下に配列されている。すなわち、図３の最も下のビーコン情報は、受信タイミングが最も新しいビーコン情報である。
【００４８】
端末ＩＤは、携帯端末５０を識別する識別情報の一例である。端末ＩＤの具体例は特に限定されないが、例えば、携帯端末５０の通信部２５に割り当てられたＭＡＣ（Ｍｅｄｉａ  Ａｃｃｅｓｓ  Ｃｏｎｔｒｏｌの略）アドレスであってもよいし、ユーザによって任意に設定されたものであってもよい。本実施形態では、携帯端末５０Ａの端末ＩＤを“００１”、携帯端末５０Ｂの端末ＩＤを“００２”、携帯端末５０Ｃの端末ＩＤを“００３”とする。
【００４９】
タイミング情報は、現時点から過去に遡ったビーコン信号の受信タイミングを特定できればよい。図３に示されるタイミング情報は、対応するビーコン信号を受信した時間、分、秒、及びミリ秒の組み合わせによって表される。また、タイミング情報は、対応するビーコン信号を受信した年月日を含んでもよい。さらに、データ記憶領域３２Ｂに記憶されるタイミング情報の形式は前述の例に限定されず、例えば、タイムスタンプの形式であってもよいし、不図示のクロックカウンタのカウント値そのままでもよい。
【００５０】
また、データ記憶領域３２Ｂは、図４に示されるように、図８、図９、及び図１１等に示される各画面を定義する定義情報を記憶している。図４の例では、共通待機画面を定義する共通待機画面定義情報、ＦＡＸ送信画面を定義するＦＡＸ送信画面定義情報、及び個別待機画面を定義する第１待機画面定義情報〜第３待機画面定義情報がデータ記憶領域３２Ｂに記憶されている。なお、共通待機画面及び個別待機画面を総称して、「待機画面」と表記することがある。図示は省略するが、表示部２３に表示可能な他の画面を定義する定義情報も、データ記憶領域３２Ｂに記憶されている。
【００５１】
定義情報は、対応する画面に含められるメッセージやアイコンのレイアウト、及びアイコンに対応付けられた処理等を定義するものである。定義情報は、例えば、ＸＭＬ（Ｅｘｔｅｎｓｉｂｌｅ  Ｍａｒｋｕｐ  Ｌａｎｇｕａｇｅの略）等によって記述されてもよい。定義情報は、複合機１０の出荷時に既にデータ記憶領域３２Ｂに記憶されていてもよいし、通信部２５を通じて不図示のサーバ装置から取得してもよいし、ユーザによって任意に作成或いは編集されてもよい。
【００５２】
図４に示されるように、共通待機画面定義情報及びＦＡＸ送信画面定義情報には、端末ＩＤが対応付けられていない。すなわち、これらの定義情報で示される画面は、全てのユーザに共通して利用される画面である。端末ＩＤが対応付けられていない定義情報で示される画面は、携帯端末５０が複合機１０の近くに存在しない場合でも、表示部２３に表示される。
【００５３】
一方、第１〜第３待機画面定義情報には、端末ＩＤが対応付けられている。図４の例では、第１待機画面定義情報で定義される個別待機画面は、端末ＩＤ“００１”で識別される携帯端末５０Ａのユーザ用にカスタマイズされたものである。第２待機画面定義情報及び第３待機画面定義情報も同様である。端末ＩＤが対応付けられた定義情報で示される画面は、原則として、当該端末ＩＤで識別される携帯端末５０が複合機１０に近づいたことに応じて、表示部２３に表示される。但し、端末ＩＤで識別される携帯端末５０のユーザが複合機１０にログインした場合、或いは複合機１０の管理者がログインし、特定のユーザ用の待機画面の表示を指示した場合には、当該待機画面が表示されてもよい。
【００５４】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００５５】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２“というテキスト形式の情報として保持され、別のコンピュータでは二進数表記で”１０“というバイナリ形式の情報として保持されてもよい。
【００５６】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００５７】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００５８】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００５９】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する携帯端末５０についても同様である。
【００６０】
ＯＳ３４は、複合機１０を構成するハードウェアであるプリンタ部１１、スキャナ部１２、ＦＡＸ部１３、表示部２３、操作部２４、通信部２５、及びビーコン受信部２６等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する携帯端末５０についても同様である。
【００６１】
［携帯端末５０］
携帯端末５０は、図２に示されるように、表示部５３と、操作部５４と、通信部５５と、ビーコン送出部５６と、ＣＰＵ６１と、記憶部６２と、通信バス６３とを主に備える。携帯端末５０に含まれる表示部５３、操作部５４、通信部５５、ＣＰＵ６１、記憶部６２、及び通信バス６３は、複合機１０に含まれる表示部２３、操作部２４、通信部２５、ＣＰＵ３１、記憶部３２、及び通信バス３３と共通するので、再度の説明は省略する。ＣＰＵ６１及び記憶部６２は、制御部の一例である。携帯端末５０の具体例特に限定されないが、例えばスマートフォン、携帯電話、タブレット端末等である。
【００６２】
記憶部６２のプログラム記憶領域６２Ａには、ＯＳ６４と、制御プログラム６５とが格納されている。ビーコン送出部５６は、予め設定された出力の無線電波のビーコン信号を送出する。制御プログラム６５は、所定の時間間隔でビーコン信号を繰り返しビーコン送出部５６に送出させる。また、制御プログラム６５は、ビーコン送出部５６に送出させるビーコン信号に、当該携帯端末５０の端末ＩＤを含める。
【００６３】
［画像形成システム１００の動作］
図５〜図９を参照して、本実施形態に係る表示制御処理を説明する。表示制御処理は、携帯端末５０から送出されるビーコン信号に基づいて、複合機１０の表示部２３に表示させる画面を切り替える処理である。
【００６４】
なお、本実施形態に係る複合機１０は、ログイン状態と非ログイン状態とに切り替え可能である。非ログイン状態とは、全てのユーザに許可された操作のみが操作部２４を介して受付可能な状態である。一方、ログイン状態とは、非ログイン状態で許可された操作に加えて、ログインユーザに特別に許可された操作を操作部２４を介して受付可能な状態である。ログイン状態で特別に許可される操作とは、例えば、ログインユーザ用の電話帳に対して宛先の追加、編集、及び削除する操作、複合機１０の設定を出荷時の状態に戻す操作、或いはセキュリティに関する設定をする操作等である。セキュリティに関する設定とは、例えば、記録処理時にパスワードの入力を要求する所謂セキュア印刷の有効及び無効の切り替え、或いはログインユーザの個人情報の入力等である。
【００６５】
複合機１０は、例えば、ログイン画面を表示部２３に表示させ、且つ正しいログインＩＤ及びパスワードの組み合わせを操作部２４を介して受け付けたことに応じて、ログイン状態となる。一方、複合機１０は、例えば、ログアウト画面で［ログアウト］アイコンの位置をタップするユーザ操作を操作部２４を介して受け付けたことに応じて、ログアウト状態となる。以下の説明において、ログイン状態であることを明示した場合以外の処理は、非ログイン状態で行われるものとする。
【００６６】
複合機１０の制御プログラム３５は、例えば複合機１０の電源が投入されたことに応じて、共通待機画面を表示部２３に表示させる。この処理は、表示制御処理の一例である。図８（Ａ）は、共通待機画面定義情報で定義された共通待機画面の一例である。図８（Ａ）に示される共通待機画面は、［ＦＡＸ］アイコン８１、［ＣＯＰＹ］アイコン８２、［ＳＣＡＮ］アイコン８３、及び設定アイコン８４を含む。共通待機画面に含まれる各アイコン８１〜８４は、画面の遷移を指示する画面遷移オブジェクトの一例である。
【００６７】
共通待機画面は、新たな画面が表示部２３に表示されてから操作部２４の未操作の期間が第１期間に達したことに応じて、表示部２３に表示される画面である。また、共通待機画面は、例えば複合機１０の電源が投入されたことに応じて、表示部５３に最初に表示される所謂トップ画面であってもよい。但し、ベンダーのロゴを表示する所謂スプラッシュ画面は、ここでは考えないものとする。また、共通待機画面は、例えばトップ画面への遷移を指示する画面遷移オブジェクトが選択されたことに応じて、表示部２３に表示される所謂トップ画面であってもよい。さらに、共通待機画面は、スリープ状態が解除された時点で表示されている所謂復帰画面であってもよい。
【００６８】
そして、制御プログラム３５は、各アイコン８１〜８４を選択するユーザ操作を操作部２４を介して受付可能な状態で待機する（Ｓ１１）。制御プログラム３５は、［ＦＡＸ］アイコン８１の位置をタップするユーザ操作を操作部２４を介して受け付けたことに応じて（Ｓ１１：Ｙｅｓ）、ＦＡＸ送信画面を共通待機画面に代えて表示部２３に表示させる（Ｓ１２）。換言すれば、制御プログラム３５は、表示部２３に表示させる画面を共通待機画面からＦＡＸ送信画面に遷移させる。ステップＳ１１の処理は第１受付処理の一例であり、ステップＳ１２の処理は画面遷移処理の一例である。
【００６９】
図８（Ｂ）は、ＦＡＸ送信画面定義情報で定義されたＦＡＸ送信画面の一例である。図８（Ｂ）に示されるＦＡＸ送信画面は、ＦＡＸ番号の入力を受け付けるテンキー８５、テンキー８５を通じて受け付けたＦＡＸ番号を表示するテキストボックス８６、テキストボックス８６に表示されたＦＡＸ番号を用いたＦＡＸ送信処理の実行を指示する［スタート］アイコン８７、電話帳に登録されたＦＡＸ番号を呼び出すことを指示する［電話帳］アイコン８８、及びテキストボックス８６に表示されたＦＡＸ番号を後述するショートカットアイコンに関連づけることを指示する［お気に入り登録］アイコン８９を含む。
【００７０】
制御プログラム３５は、テンキー８５の位置をタップするユーザ操作を操作部２４を介して受け付けたことに応じて、タップ位置の数字をＦＡＸ番号の一部としてテキストボックス８６に表示させる。また、制御プログラム３５は、［スタート］アイコン８７の位置をタップするユーザ操作を操作部２４を介して受け付けたことに応じて、コンタクトガラス或いはＡＤＦ（Ａｕｔｏ  Ｄｏｃｕｍｅｎｔ  Ｆｅｅｄｅｒの略）にセットされた原稿をスキャナ部１２に読み取らせ、テキストボックス８６に表示されたＦＡＸ番号に対して、スキャナ部１２に生成させたスキャンデータをＦＡＸ部１３にＦＡＸ送信させる。そして、制御プログラム３５は、ＦＡＸ送信処理の完了後に、表示部２３に表示させる画面をＦＡＸ送信画面から共通待機画面に再び遷移させる。
【００７１】
ＦＡＸ送信画面は、［ＦＡＸ］アイコン８１に対応付けられている。また、ＦＡＸ送信画面は、スキャナ部１２及びＦＡＸ部１３にＦＡＸ送信処理の実行を指示する動作情報を入力させるための遷移先画面の一例である。すなわち、テンキー８５の位置のタップ操作、及び［スタート］アイコン８７の位置のタップ操作は、動作情報の入力の一例である。このように、動作情報は、画像形成部を動作させるために必要な情報（例えば、ＦＡＸ番号）の他、当該動作を開始させる指示（例えば、［スタート］アイコン８７の選択）をも含む。
【００７２】
また、制御プログラム３５は、［電話帳］アイコン８８の位置をタップするユーザ操作を操作部２４を介して受け付けたことに応じて、表示部２３に表示させる画面をＦＡＸ送信画面から既に電話帳に登録されているＦＡＸ番号を一覧表示させる電話帳画面に遷移させ、且つ一覧表示されたＦＡＸ番号の１つを選択するユーザ操作を操作部２４を介して受け付ける。さらに、制御プログラム３５は、［お気に入り登録］アイコン８９の位置をタップするユーザ操作を操作部２４を介して受け付けたことに応じて、テキストボックス８６に表示されたＦＡＸ番号を、後述するショートカットアイコンに関連づける。
【００７３】
すなわち、［電話帳］アイコン８８は、電話帳画面への遷移を指示する画面遷移オブジェクトの一例である。また、電話帳画面は、ＦＡＸ送信処理の宛先を示す動作情報を入力させるための遷移先画面の一例である。すなわち、画面遷移オブジェクトは、共通待機画面のみならず、遷移先画面に含まれていてもよい。また、遷移先画面は、共通待機画面に表示された画面遷移オブジェクトの選択によって遷移される画面に限定されず、遷移先画面からさらに遷移された画面であってもよい。
【００７４】
また、制御プログラム３５は、共通待機画面の［ＣＯＰＹ］アイコン８２の位置をタップするユーザ操作を操作部２４を介して受け付けたことに応じて（Ｓ１１：Ｙｅｓ）、表示部２３に表示させる画面を共通待機画面からコピー処理を実行させるためのコピー画面に遷移させる（Ｓ１２）。コピー処理は、スキャナ部１２に生成させたスキャンデータで示される画像をシートに対してプリンタ部１１に記録させる処理である。そして、制御プログラム３５は、コピー処理の完了後に、表示部２３に表示させる画面をコピー画面から共通待機画面に再び遷移させる。コピー画面は、例えば、コピーする部数の選択、用紙サイズ及び用紙種の選択、カラー或いはモノクロの選択、コピー処理の開始等の動作情報を入力させるための遷移先画面の一例である。
【００７５】
また、制御プログラム３５は、共通待機画面の［ＳＣＡＮ］アイコン８３の位置をタップするユーザ操作を操作部２４を介して受け付けたことに応じて（Ｓ１１：Ｙｅｓ）、表示部２３に表示させる画面を共通待機画面からスキャナ部１２にスキャン処理を実行させるためのスキャン画面に遷移させる（Ｓ１２）。そして、制御プログラム３５は、スキャン処理の完了後に、表示部２３に表示させる画面をスキャン画面から共通待機画面に再び遷移させる。スキャン画面は、例えば、スキャン処理の解像度の指定、スキャンデータの保存先の選択、スキャン処理の開始等の動作情報を入力させるための遷移先画面の一例である。
【００７６】
さらに、制御プログラム３５は、共通待機画面の設定アイコン８４の位置をタップするユーザ操作を操作部２４を介して受け付けたことに応じて（Ｓ１１：Ｙｅｓ）、表示部２３に表示させる画面を共通待機画面から複合機１０の設定変更を受け付ける詳細設定画面に遷移させる（Ｓ１２）。詳細設定画面は、プリンタ部１１が用いるシートのサイズ設定、スキャナ部１２に生成させるスキャンデータの解像度のデフォルト値の設定、ＦＡＸ受信したデータの保存先の設定等の動作情報を入力させるための遷移先画面の一例である。このように、遷移先画面を通じて入力される動作情報は、画像形成部を直ちに動作させるものに限定されない。
【００７７】
また、制御プログラム３５は、共通待機画面を表示させてからの経過時間が第２期間に達するのをタイマ監視する（Ｓ１３）。そして、制御プログラム３５は、操作部２４がユーザ操作を受け付けないまま第２期間を経過したことに応じて（Ｓ１１：Ｎｏ＆Ｓ１３：Ｙｅｓ）、表示部２３への電力の供給を停止する（Ｓ１４）。ステップＳ１４の処理は、スリープ処理の一例である。なお、第２期間のタイマ監視は、共通待機画面以外の画面が表示部２３に表示されたタイミングでも開始される。また、第２期間を計測するタイマは、表示部２３に表示される画面が切り替えられたタイミングでリセットされる。
【００７８】
また、制御プログラム３５は、例えば複合機１０の電源が投入されたことに応じて、ビーコン信号を受信可能な状態でビーコン受信部２６を待機させる。ここで、複合機１０は、携帯端末５０Ａ〜５０Ｃのユーザが利用できるように、共有スペース等に設置されているものとする。すなわち、携帯端末５０を所持したユーザは、複合機１０に近づくことができるものとする。
【００７９】
また、携帯端末５０は、所定の出力のビーコン信号を所定の時間間隔で繰り返し送出しているものとする。この処理は、送出処理の一例である。携帯端末５０から送出されたビーコン信号は、徐々に減衰しながら空気中を伝搬する。すなわち、ビーコン受信部２６で受信されるビーコン信号の電波強度は、複合機１０と携帯端末５０との間の距離が短いほど強くなり、複合機１０と携帯端末５０との距離が長いほど弱くなる傾向がある。
【００８０】
そして、制御プログラム３５は、携帯端末５０から送出されたビーコン信号をビーコン受信部２６を通じて受信したことに応じて、図２に示されるデータ記憶領域３２Ｂにビーコン情報を記憶させる（Ｓ１５）。すなわち、制御プログラム３５は、受信したビーコン信号に含まれる端末ＩＤと、当該ビーコン信号を受信した受信タイミングを示すタイミング情報と、当該ビーコン信号の受信強度を示す強度情報とを含むビーコン情報とを、データ記憶領域３２Ｂに記憶させる。
【００８１】
なお、制御プログラム３５は、ステップＳ１５において、ビーコン信号の受信強度が閾値（例えば、１．５ｄＢｍ）以上であることに応じて、当該ビーコン信号のビーコン情報をデータ記憶領域３２Ｂに記憶させてもよい。換言すれば、制御プログラム３５は、ビーコン信号の受信強度が閾値未満であることに応じて、ステップＳ１５をスキップしてもよい。
【００８２】
さらに、制御プログラム３５は、例えば複合機１０の電源が投入されたことに応じて、図５（Ｃ）に示される繰り返し処理を所定の時間間隔で繰り返し実行する。所定の間隔とは、例えば、１０ｍｓｅｃ〜１ｓｅｃ程度であってもよい。なお、繰り返し処理は、前述のタイミングに加えて、或いは前述のタイミングに代えて、ビーコン受信部２６を通じてビーコン信号を受信したことに応じて実行されてもよい。
【００８３】
まず、制御プログラム３５は、表示部２３に共通待機画面が表示されているか否かを判断する（Ｓ１６）。そして、制御プログラム３５は、共通待機画面の表示中であることに応じて（Ｓ１６：Ｙｅｓ）、待機画面切替処理を実行する（Ｓ１７）。一方、制御プログラム３５は、待機画面以外の画面、すなわち遷移先画面の表示中であることに応じて（Ｓ１６：Ｎｏ）、待機画面切替処理を実行しない。すなわち、待機画面切替処理は、待機画面及び遷移先画面のうちの待機画面の表示中にのみ実行される処理である。待機画面切替処理は、表示部２３に表示させる待機画面を切り替える処理である。図６を参照して、待機画面切替処理の詳細を説明する。
【００８４】
まず、制御プログラム３５は、受信タイミングが監視期間内のビーコン情報が、図３に示されるデータ記憶領域３２Ｂに記憶されているか否かを判断する（Ｓ２１）。監視期間とは、現時点から過去に遡った予め定められた期間である。監視期間は、例えば、１ｓｅｃ〜３０ｓｅｃ程度であってもよい。ステップＳ１７の待機画面切替処理が実行される場合、ステップＳ１５で追加したビーコン情報が記憶されている。そして、制御プログラム３５は、受信タイミングが監視期間内のビーコン情報がデータ記憶領域３２Ｂに記憶されていることに応じて（Ｓ２１：Ｎｏ）、表示部２３に個別待機画面が表示されているか否かを判断する（Ｓ２４）。ステップＳ１７の待機画面切替処理が実行される場合、表示部２３には共通待機画面が表示されている。
【００８５】
次に、制御プログラム３５は、受信タイミングが監視期間内のビーコン情報のうち、電波強度が最大のビーコン情報に含まれる端末ＩＤを抽出する（Ｓ２６）。ステップＳ２６で抽出された端末ＩＤは、対象識別情報の一例である。図３の例では、電波強度が４．０ｄＢｍの端末ＩＤ“００１”が抽出される。そして、制御プログラム３５は、表示部２３に表示させる画面を共通待機画面から端末ＩＤ“００１”に対応付けられた個別待機画面に遷移させる（Ｓ２７）。ステップＳ２７の処理は、切替処理の一例である。なお、ステップＳ２２、Ｓ２３、Ｓ２５の処理は、ステップＳ３４において後述する。
【００８６】
図９（Ａ）は、個別待機画面の一例である。図９（Ａ）に示される個別待機画面は、端末ＩＤ“００１”に対応する第１待機画面定義情報で定義される。図９（Ａ）に示される個別待機画面は、共通待機画面に含まれる各アイコン８１〜８４に加えて、ショートカットアイコン９０を含む。ショートカットアイコン９０は、電話帳に登録された宛先を表示する宛先表示画面への遷移を指示する画面遷移オブジェクトの一例である。
【００８７】
ショートカットアイコン９０は、例えば、携帯端末５０Ａのユーザに割り当てられたユーザＩＤで複合機１０にログインし、ＦＡＸ送信画面の［お気に入り登録］アイコン８９の機能を利用して個別待機画面に含められる。この場合、携帯端末５０の端末ＩＤと、携帯端末５０のユーザのログインＩＤとは関連づけられている。また、個別待機画面は、対応するユーザＩＤでログイン状態となった複合機１０において、共通待機画面に代えて用いられてもよい。
【００８８】
個別待機画面に含まれるショートカットアイコンの数は、１個に限定されない。また、共通待機画面と個別待機画面との相違点は、ショートカットアイコンの有無に限定されない。例えば、個別待機画面は、対応するユーザの好みに合わせて、共通待機画面に含まれるアイコンが省略されていてもよいし、共通待機画面に含まれないアイコンが追加されていてもよいし、アイコンのレイアウトが共通待機画面と異なっていてもよい。個別待機画面に含まれるアイコンの種類及びレイアウトは、例えば、ユーザによって任意に設定することができてもよい。
【００８９】
次に、表示部２３に個別待機画面を表示させた制御プログラム３５は、図７に示される処理を実行する。すなわち、制御プログラム３５は、個別待機画面に含まれるアイコン８１〜８４、９０を選択するユーザ操作を操作部２４を介して受付可能な状態で待機する（Ｓ３１）。ステップＳ３１の処理は、第１受付処理の他の例である。また、制御プログラム３５は、個別待機画面を表示部２３に表示させてからの経過時間が第１期間に達するのをタイマ監視する（Ｓ３３）。なお、第１期間は、前述の第２期間より短く設定される。例えば、第１期間は１ｍｉｎ〜１０ｍｉｎのうちから選択され、第２期間は３ｍｉｎ〜１５ｍｉｎのうちから第１期間より長い値が選択される。
【００９０】
制御プログラム３５は、例えばショートカットアイコン９０の位置をタップするユーザ操作を操作部２４を介して受け付けたことに応じて（Ｓ３１：Ｙｅｓ）、表示部２３に表示させる画面を個別待機画面から宛先画面に遷移させる（Ｓ３２）。図９（Ｂ）は、宛先画面の一例である。図９（Ｂ）に示される宛先画面は、電話帳に登録された宛先の名称“ブラザー太郎”、宛先のＦＡＸ番号“０７２−ｘｘｘｘ−ｙｙｙｙ”、及び［スタート］アイコン９１を含む。
【００９１】
そして、制御プログラム３５は、［スタート］アイコン９１の位置をタップするユーザ操作を操作部２４を介して受け付けたことに応じて、スキャナ部１２に生成させたスキャンデータを、表示されたＦＡＸ番号に対してＦＡＸ部１３にＦＡＸ送信させる。すなわち、宛先画面は、ショートカットアイコン９０に対応付けられており、且つスキャナ部１２及びＦＡＸ部１３にＦＡＸ送信処理の実行を指示する動作情報を入力させるための遷移先画面の一例である。また、制御プログラム３５は、ＦＡＸ送信処理の完了後に、表示部２３に表示させる画面を宛先画面から個別待機画面に再び遷移させる。
【００９２】
また、制御プログラム３５は、個別待機画面に対するユーザ操作を受け付けないまま第１期間が経過したことに応じて（Ｓ３１：Ｎｏ＆Ｓ３３：Ｙｅｓ）、待機画面切替処理を実行する（Ｓ３４）。ここでは、図６に示される待機画面切替処理のうち、既に説明した処理の詳しい説明は省略し、ステップＳ２２、Ｓ２３、Ｓ２５の処理を中心に説明するものとする。
【００９３】
制御プログラム３５は、受信タイミングが監視期間内のビーコン情報がデータ記憶領域３２Ｂに記憶されていないことに応じて（Ｓ２１：Ｙｅｓ）、表示部２３に表示させる画面を個別待機画面から共通待機画面に遷移させる（Ｓ２２）。ステップＳ２２の処理は、復帰処理の一例である。また、制御プログラム３５は、個別待機画面を表示させた際にタイマ監視を開始した第２期間を延長する（Ｓ２３）。すなわち、制御プログラム３５は、ステップＳ２２で共通待機画面に切り替えられた際に、第２期間を監視するタイマをリセットせず、第２期間を延長する。
【００９４】
一方、制御プログラム３５は、受信タイミングが監視期間内のビーコン情報がデータ記憶領域３２Ｂに記憶されており、且つ表示部２３に個別待機画面が表示されていることに応じて（Ｓ２１：Ｎｏ＆Ｓ２４：Ｙｅｓ）、表示中の個別待機画面に対応する端末ＩＤ“００１”を、ステップＳ２５における抽出対象から除外する（Ｓ２５）。そして、制御プログラム３５は、端末ＩＤ“００１”を含まないビーコン情報から端末ＩＤを抽出（Ｓ２６）し、当該端末ＩＤに対応する個別待機画面を表示部２３に表示する（Ｓ２７）。
【００９５】
図３の例では、電波強度が３．２ｄＢｍの端末ＩＤ“００２”が抽出され（Ｓ２６）、表示部２３に表示される画面が端末ＩＤ“００１”に対応する個別待機画面から端末ＩＤ“００２”に対応する個別待機画面に遷移される（Ｓ２７）。すなわち、制御プログラム３５は、端末ＩＤ“００１”に対応する個別待機画面を表示させてから第１期間が経過するまでに操作部２４がユーザ操作を受け付けなかったことに応じて、端末ＩＤ“００１”と異なる端末ＩＤ“００２”に対応する個別待機画面に切り替える。
【００９６】
なお、ステップＳ２５における端末ＩＤ“００１”の除外は、例えば、他の端末ＩＤに対応する個別待機画面の表示回数がＭ（Ｍは１以上の自然数）回以上になった、スリープ処理が実行された、或いは除外した際の最大電波強度より強い電波強度で端末ＩＤ“００１”を含むビーコン信号を受信したことに応じて、解除されてもよい。
【００９７】
［本実施形態の作用効果］
上記の実施形態によれば、待機画面の表示中に携帯端末５０を所持したユーザが複合機１０に近づいたことに応じて、当該携帯端末５０のユーザ用の個別待機画面に切り替えられる。これにより、複合機１０を利用しようとして近づいたユーザに適したインタフェースを提供することができる。一方、遷移先画面の表示中に携帯端末５０を所持したユーザが複合機１０に近づいても個別待機画面への切り替えが行われない。これにより、複合機１０を操作中の他のユーザの操作を阻害することを抑制できる。
【００９８】
なお、複数の携帯端末５０Ａ〜５０Ｃそれぞれのユーザが複合機１０の近くにいる場合、上記の実施形態のように、複合機１０に最も近いユーザ、すなわち複合機１０を使用する可能性が最も高いユーザ用の個別待機画面に切り替えるのが望ましい。但し、ステップＳ２６における端末ＩＤの抽出方法は、前述の例に限定されない。
【００９９】
一例として、制御プログラム３５は、最も最近に受信したビーコン信号に含まれる端末ＩＤを、対象識別情報として抽出してもよい。すなわち、制御プログラム３５は、受信タイミングが最も新しいビーコン情報に含まれる端末ＩＤを、対象識別情報として抽出すればよい。図３の例では、端末ＩＤ“００３”が抽出される。
【０１００】
他の例として、制御プログラム３５は、同一の端末ＩＤを含むビーコン情報が監視期間内にＮ（Ｎは２以上の整数）個以上記憶されていることに応じて、当該端末ＩＤを抽出してもよい。例えばＮ＝２とすると、図３の例では、端末ＩＤ“００１”、“００２”が抽出される。これにより、複合機１０の近くをユーザが通り過ぎただけの場合に、当該ユーザ用の個別待機画面に切り替わることが抑制される。
【０１０１】
さらに、図３に示されるように、Ｎ個以上のビーコン情報に含まれている端末ＩＤ“００１”、“００２”が複数ある場合、制御プログラム３５は、抽出された端末ＩＤを含むビーコン情報のうち、電波強度が最大のビーコン情報に含まれる端末ＩＤを、対象識別情報として抽出してもよい。図３の例において、端末ＩＤ“００１”を含むビーコン情報の電波強度の最大値と、端末ＩＤ“００２”を含むビーコン情報の電波強度の最大値とを比較すると、最大値が大きい端末ＩＤ“００１”が対象識別情報として抽出される。一方、電波強度の平均値同士を比較すると、平均値が大きい端末ＩＤ“００２”が抽出される。
【０１０２】
また、上記の実施形態によれば、個別表示画面が表示されてから第１期間が経過するまでにユーザ操作が実行されなければ、他のユーザ用の個別待機画面に切り替えられる。これにより、例えば、複合機１０を使用する意思のないユーザが当該複合機１０の近くにいる場合において、当該ユーザ用の個別待機画面が表示され続けることが抑制される。
【０１０３】
また、第１期間が経過したタイミングで携帯端末５０を所持するユーザが近くにいない場合に、個別待機画面が共通待機画面に切り替えられる。その結果、携帯端末５０を所持しないユーザにとっても使用しやすい複合機１０を得ることができる。さらに、第１期間が経過したタイミングで第２期間が延長されるので、共通待機画面が表示された直後にスリープ処理が実行されることが抑制される。その結果、共通待機画面を通じて複合機１０を操作しようとするユーザに、スリープ状態を解除するための操作をさらに実行させることを抑制できる。
【０１０４】
なお、表示部２３に表示された個別待機画面は、対応するユーザ以外のユーザによって操作される可能性がある。そこで、上記の実施形態において、ショートカットアイコン９０に対応する宛先画面は、当該画面を通じた操作が全てのユーザに許可されている。このように、個別待機画面に含まれる画面遷移オブジェクトには、動作情報の入力が全てのユーザに許可された遷移先画面に対応付けられているのが望ましい。換言すれば、動作情報の入力がログインユーザに特別に許可された遷移先画面に遷移可能な画面遷移オブジェクトを、個別待機画面に含めないことが望ましい。
【０１０５】
［変形例１］
次に、図１０及び図１１を参照して、変形例１に係る画像形成システム１００の動作を説明する。なお、上記の実施形態との共通点の詳しい説明は省略し、相違点を中心に説明する。変形例１に係る画像形成システム１００は、携帯端末５０を所持したユーザが複合機１０に近づいたことに応じて直ちに個別待機画面に切り替えず、切替アイコンを共通待機画面に表示させる。そして、変形例１に係る画像形成システム１００は、切替アイコンが選択されたことに応じて、表示部２３に表示させる画面を共通待機画面から当該切替アイコンに対応する個別待機画面に遷移させる。
【０１０６】
複合機１０の制御プログラム３５は、例えば複合機１０の電源が投入されたことに応じて、図１０（Ａ）に示される繰り返し処理を所定の時間間隔で繰り返し実行する。所定の間隔とは、例えば、１０ｍｓｅｃ〜１ｓｅｃ程度であってもよい。すなわち、制御プログラム３５は、共通待機画面の表示中であることに応じて（Ｓ４１：Ｙｅｓ）、受信タイミングが監視期間内のビーコン情報に含まれる端末ＩＤを抽出し、当該端末ＩＤに対応する切替アイコンを共通待機画面に含める（Ｓ４２）。ステップＳ４２の処理は、オブジェクト追加処理の一例である。
【０１０７】
図１１（Ａ）は、切替アイコン９２を含む共通待機画面の一例である。図１１（Ｂ）は、切替アイコン９２、９３を含む共通待機画面の一例である。切替アイコン９２は、端末ＩＤ“００１”のユーザ用にカスタマイズされた個別待機画面への遷移を指示する画面遷移オブジェクトの一例である。また、切替アイコン９３は、端末ＩＤ“００２”のユーザ用にカスタマイズされた個別待機画面への遷移を指示する画面遷移オブジェクトの一例である。
【０１０８】
すなわち、制御プログラム３５は、受信タイミングが監視期間内のビーコン情報に端末ＩＤ“００１”のみが含まれていることに応じて、図１１（Ａ）に示される共通待機画面を表示部２３に表示させる。一方、制御プログラム３５は、受信タイミングが監視期間内のビーコン情報に端末ＩＤ“００１”、“００２”のみが含まれていることに応じて、図１１（Ｂ）に示される共通待機画面を表示部２３に表示させる。なお、ステップＳ４２における端末ＩＤの抽出条件は、前述の例に限定されない。例えば、制御プログラム３５は、受信タイミングが監視期間内で且つ電波強度が閾値強度以上のビーコン情報に含まれる端末ＩＤを抽出してもよい。
【０１０９】
そして、制御プログラム３５は、各アイコン８１〜８４を選択するユーザ操作を操作部２４を介して受付可能な状態で待機する（Ｓ４３）。また、制御プログラム３５は、切替アイコン９２、９３を選択するユーザ操作を操作部２４を介して受付可能な状態で待機する（Ｓ４５）。ステップＳ４５の処理は、第２受付処理の一例である。
【０１１０】
次に、制御プログラム３５は、共通待機画面に含まれる各アイコン８１〜８４の位置をタップするユーザ操作を操作部２４を介して受け付けたことに応じて（Ｓ４３：Ｙｅｓ）、表示部２３に表示させる画面を共通待機画面からタップ位置のアイコン８１〜８４に対応する遷移先画面に遷移させる（Ｓ４４）。ステップＳ４３、Ｓ４４の処理は、図５（Ａ）に示されるステップＳ１１、Ｓ１２の処理と共通するので、詳細な説明は省略する。
【０１１１】
一方、制御プログラム３５は、図１１（Ｂ）に示される共通待機画面に含まれる切替アイコン９２、９３のうち、例えば切替アイコン９２の位置をタップするユーザ操作を操作部２４を介して受け付けたことに応じて（Ｓ４５）、表示部２３に表示させる画面を共通待機画面から図９（Ａ）に示される個別待機画面に遷移させる（Ｓ４６）。
【０１１２】
上記の変形例１によれば、複数のユーザが複合機１０の近くにいる場合において、当該複合機１０を使用したいユーザ用の個別待機画面に簡単に切り替えることができる。なお、切替アイコンは、共通待機画面のみならず、個別待機画面にも追加することができる。すなわち、図１０に示される処理は、個別待機画面の表示中にも実行することができる。
【０１１３】
［変形例２］
次に、図１２及び図１３を参照して、変形例２に係る画像形成システム１００の動作を説明する。なお、実施形態との共通点の詳しい説明は省略し、相違点を中心に説明する。変形例２に係る画像形成システム１００は、携帯端末５０を所持したユーザによる画面遷移オブジェクトの選択を操作部２４を介して受け付けたことに応じて、当該画面遷移オブジェクトに対応付けられ且つ当該ユーザ用にカスタマイズされた遷移先画面を表示部２３に表示させる。
【０１１４】
変形例２に係るデータ記憶領域３２Ｂは、図１２（Ａ）に示されるように、待機画面定義情報と、共通ＦＡＸ送信画面定義情報と、第１〜第３ＦＡＸ送信画面定義情報とを、図４に示される定義情報に代えて記憶している。図１２（Ａ）の例において、図８（Ａ）に示される共通待機画面を定義する待機画面定義情報、及び図８（Ｂ）に示されるＦＡＸ送信画面を定義する共通ＦＡＸ送信画面定義情報には、端末ＩＤが対応付けられていない。すなわち、これらの定義情報で定義される画面は、全てのユーザに共通して利用される画面である。一方、各々に異なる端末ＩＤが対応付けられた第１〜第３ＦＡＸ送信画面定義情報は、対応するユーザ用にカスタマイズされたＦＡＸ送信画面を定義する。
【０１１５】
また、複合機１０の制御プログラム３５は、携帯端末５０から送出されたビーコン信号をビーコン受信部２６を通じて受信したことに応じて、図５（Ｂ）に示される処理を実行する。さらに、制御プログラム３５は、図８（Ａ）に示される共通待機画面を表示部２３に表示させていることに応じて、図１３に示される処理を実行する。すなわち、制御プログラム３５は、各アイコン８１〜８４を選択するユーザ操作を操作部２４を介して受付可能な状態で待機する（Ｓ５１）。
【０１１６】
次に、制御プログラム３５は、例えば［ＦＡＸ］アイコン８１の位置をタップするユーザ操作を操作部２４を介して受け付けたことに応じて（Ｓ５１：Ｙｅｓ）、受信タイミングが監視期間内のビーコン情報が図３に示されるデータ記憶領域３２Ｂに記憶されているか否かを判断する（Ｓ５２）。なお、ステップＳ５２以降の処理は、共通待機画面に含まれる他のアイコン８２〜８４が選択された場合にも、同様に実行される。
【０１１７】
そして、制御プログラム３５は、受信タイミングが監視期間内のビーコン情報が記憶されていないことに応じて（Ｓ５２：Ｙｅｓ）、表示部２３に表示させる画面を、図８（Ａ）に示される共通待機画面から図８（Ｂ）に示されるＦＡＸ送信画面に遷移させる（Ｓ５３）。変形例２において、図８（Ｂ）に示されるＦＡＸ送信画面は、共通遷移先画面の一例である。ステップＳ５２、Ｓ５３及び後述するステップＳ５４、Ｓ５５の処理は、画面遷移処理の他の例である。
【０１１８】
一方、制御プログラム３５は、受信タイミングが監視期間内のビーコン情報が記憶されていることに応じて（Ｓ５２：Ｎｏ）、表示部２３に表示させる画面を、図８（Ａ）に示される共通待機画面から図１２（Ｂ）に示されるＦＡＸ送信画面に遷移させる（Ｓ５４、Ｓ５５）。具体的には、制御プログラム３５は、ステップＳ５４において、受信タイミングが監視期間内のビーコン情報のうち、電波強度が最大のビーコン情報に含まれる端末ＩＤを抽出する。そして、制御プログラム３５は、ステップＳ５５において、［ＦＡＸ］アイコン８１に対応付けられたＦＡＸ送信画面のうち、抽出した端末ＩＤに対応付けられた定義情報で定義されたＦＡＸ送信画面を、表示部２３に表示させる。
【０１１９】
図１２（Ｂ）に示されるＦＡＸ送信画面は、例えば、端末ＩＤ“００１”に対応付けられた第１ＦＡＸ送信画面定義情報で定義される画面である。図１２（Ｂ）に示されるＦＡＸ送信画面は、ショートカットアイコン９４を含む点において、図８（Ｂ）に示されるＦＡＸ送信画面と相違する。ショートカットアイコン９４の機能は、例えば図９に示されるショートカットアイコン９０と共通であってもよい。すなわち、制御プログラム３５は、ショートカットアイコン９４を選択するユーザ操作を操作部２４を介して受け付けたことに応じて、表示部２４に表示させる画面を、図１２（Ｂ）に示されるＦＡＸ送信画面から図９（Ｂ）に示される宛先画面に遷移させる。図１２（Ｂ）に示されるＦＡＸ送信画面は、個別遷移先画面の一例である。
【０１２０】
上記の変形例２によれば、例えば、携帯端末５０Ａを所持したユーザによって［ＦＡＸ］アイコン８１が選択されたことに応じて、図１２（Ｂ）に示されるＦＡＸ送信画面が表示される。これにより、携帯端末５０Ａのユーザは、当該ユーザ用にカスタマイズされたＦＡＸ送信画面を通じてＦＡＸ部１３にＦＡＸ送信処理を実行させることができる。一方、携帯端末５０を所持しないユーザによって［ＦＡＸ］アイコン８１が選択されたことに応じて、図８（Ｂ）に示されるＦＡＸ送信画面が表示される。すなわち、携帯端末５０を所持しないユーザにとっても操作しやすいインタフェースを提供することができる。
【０１２１】
なお、本実施形態の複合機１０において、記憶部３２のプログラム記憶領域３２Ａに記憶された各種プログラムがＣＰＵ３１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１２２】
さらに、本発明は、複合機１０として実現できるだけでなく、複合機１０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを介して複合機１０或いは携帯端末５０に接続可能なサーバ装置に搭載された記憶部を含んでもよい。そして、サーバ装置の記憶部に記憶されたプログラムは、当該プログラムを示す情報或いは信号として、インターネット等の通信ネットワークを介して配信されてもよい。
【符号の説明】
【０１２３】
１０・・・複合機
１１・・・プリンタ部
１２・・・スキャナ部
１３・・・ＦＡＸ部
３１，６１・・・ＣＰＵ
２３・・・表示部
２４・・・操作部
２６・・・ビーコン受信部
３２・・・記憶部
３５，６５・・・制御プログラム
５０・・・携帯端末
５６・・・ビーコン送出部
【図１】
0006492642.tif 000002
【図２】
0006492642.tif 000003
【図３】
0006492642.tif 000004
【図４】
0006492642.tif 000005
【図５】
0006492642.tif 000006
【図６】
0006492642.tif 000007
【図７】
0006492642.tif 000008
【図８】
0006492642.tif 000009
【図９】
0006492642.tif 000010
【図１０】
0006492642.tif 000011
【図１１】
0006492642.tif 000012
【図１２】
0006492642.tif 000013
【図１３】
0006492642.tif 000014